(57)【要約】      （修正有）【課題】トルマリン鉱石・黒曜石のマイナスイオン及び遠赤外線は、身体に良い電磁波を発生しながら鉱石特有のイオン効能効果効率よく、多量に使用する事と循環させながら発生させる事によって優れた健康と美容を発揮させる事が出来る温熱治療装置を提供する。【解決手段】受水槽タンク中に水中ポンプ１を設置し、パイプ配管８に無数の孔２を開け循環ポンプ１の水圧でトルマリン砿石、及び黒曜石（イオン生成材）に温水が強力に接触し、マイナスイオンと赤外線及び電磁波が発生する。床下の温熱パイプ６によって温水が常備40℃〜４５℃の温水となる。貫通管１４の中にイオン生成材を設置することにより腰、下半身等に湿度と温熱が特殊トルマリンボード１３に伝導し身体が活性化する。【選択図】図１
2007252872.tif 000002
【特許請求の範囲】
【発明の詳細な説明】
【技術分野】
【０００１】  本発明は（トルマリン鉱石・黒曜石・麦飯石・北投石・マイナスイオン発生生成材等）に温水熱の圧力、又はポンプ等で送水圧を利用しマイナスイオン湯を発生できる装置。
【背景技術】
【０００２】  近年、トルマリン鉱石、黒曜石、ラジウム鉱石、麦飯石、北投石、等のマイナスイオン、遠赤外線を発生し易い物質（マイナスイオン、遠赤外線生成材）を用いる種々の装置が開発されて有りますが鉱石の量が小量で水圧が少ないため、マイナスイオン発生と言っても名ばかりである、又、水温水が直流のためマイナスイオン発生率が小量のため効能効果が少ない。
【発明の開示】
【発明が解決しようとする課題】
【０００３】  本発明はこのような従来の問題点に着目してなされたものであり、水道水及び、温泉湯を大型水槽の中に蓄積、トルマリン鉱石・黒曜石・イオン生成材等を多量に搬入し、循環水圧ポンプの圧力を利用し、鉱石に衝撃を与えてマイナスイオン等が発生させる方法。
【課題を解決するための手段】
【０００４】  上記の開発を応用して、近年に多い腰の痛み、下半身の冷えからの病を又、婦人病等を鉱石のイオン等を多量に発生させて、温熱イオンに高湿度と混合し、下半身から熱・湿度等で加え人体の座席に、又、室内の低温（３８度〜４２度）湿度と混合させて（空気化）する事により、同時に器官・肺・内臓等も気持ち良く活性化する。【０００５】  水槽タンクの温水をマイナスイオン水化して循環ポンプでの圧力を応用し湿度と温度を加え、今回開発したトルマリンパネル盤の貫通管から身体に加える、又、室内湿度と温度を平均化する事により気持がリラックスされて長時間治療が出来長年の体験の結果である。呼吸によって身体に吸収されて岩盤浴効果となる。
公開特許公報（Ａ）特許出願公開番号  特開２００６−２６３５６（Ｐ２００６−２６３５６Ａ）出願人０００１２３３０９荻原大が提出日平成１６年７月１５日特願した岩盤浴と組み合わせる事によって大変良い結果となった。【０００６】  図面１の横断面図のように岩盤浴、及びサウナ、温泉室内に床底から取り付けることにより有効利用ができる。【０００７】  受水槽タンクの中に１水中ポンプを設置し、８のパイプ配管に１２無数の穴を開け１循環ポンプの水圧で９トルマリン鉱石、及び黒曜石（イオン生成材）に温水が強力で接触し、マイナスイオと遠赤外線及び電磁波等が発生する。【０００８】  床下の６温熱パイプによって温水が常備４０℃〜４５℃の温水となる、１４貫通管の中にイオン生成材を設置する事により腰、下半身等に湿度と温熱が１３特殊トルマリンボールに伝道し身体が活性化する。【０００９】  １０特殊トルマリン盤（腰掛椅子）は荻原大が平成１６年１０月７日・特願整理番号・Ｐ０４０Ｈ０１特願２００４−２９４７０４を改良して使用した所最適である。
【発明の効果】
【００１０】  トルマリン鉱石は人体に効能効果がある薬石として世間で数多くの方法で使用されている鉱石である。特にトルマリン鉱石を飲料水に多く使用されている。【００１１】  黒曜石は昔から健康水として黒曜石を色々な方法で加工されて使用している。【００１２】  今回の開発により、多量のトルマリン鉱石と黒曜石をミックスし水槽の中で水道水に圧力と循環水中ポンプ圧力で鉱石に衝撃加えた事により、イオン粒子が水滴化して家庭用・ホテル用風呂・岩盤浴等に多く使用実験テストを行い人体に数多くの利点を得た。
【発明を実施するための最良の形態】
【００１３】  腰、下半身の温熱治療方法は数多く開発されているが、高湿度と低温で体全体が温まりながら、又マイナスイオン・遠赤外線・電磁波が室内入浴呼吸によって吸収されるので身体に加重される事が少なく、長時間入浴治療が出来る事と弱者の身体に負担が無い、又、多量の汗によって身体の毒素が搬出される岩盤浴温熱治療装置である。
体験場の結果２万人以上の方々の体験者のアンケート集計で個々の病気等が解消され、黒曜石とトルマリン鉱石からの搬出された多量のマイナスイオンの効力で汗の悪臭とカビの発生等が解決できた。【００１４】  今回の開発装置を岩盤浴に使用した結果、健康に良く女性の美肌効果は特に良く、荻原大が平成１７年７月１７日提出・整理番号・Ｐ０４０Ｈ０１・識別番号０００１２３３０９特願２００５−２３００５１の方法で体験場を作製し実証ができた。【００１５】  使用する黒曜石は産地として有名な長野県和田峠産であり、その成分含有率の一例を表１に示す。【００１６】
【表１】
2007252872.tif 000003
【表２】
2007252872.tif 000004
2007252872.tif 000005
【図面の簡単な説明】
【００１７】
【図１】横断面図
【図２】平面図
【図３】縦断面図
【図４】立体図
【符号の説明】
【００１８】１．送水ポンプ
２．マイナスイオン蓄積層と配管
３．施設基礎コンクリート
４．断熱材ヒート及び断熱ハッポー材
５．メッシュ筋
６．温熱パイプ
７．スノコ（板）
８．温水噴出しパイプ
９．イオン発生鉱石生成材
１０．特殊トルマリンパネル盤
１１．イオン発生材シンダーコンクリート
１２．温水噴出し、穴
１３．特殊トルマリンボール
１４．貫通パイプ
１５．温熱調整パイプ
１６．流水暗渠パイプ
１７．通路用スノコ盤
１８．縁枠
【図１】
2007252872.tif 000006
【図２】
2007252872.tif 000007
【図３】
2007252872.tif 000008
【図４】
2007252872.tif 000009
【手続補正書】
【提出日】平成18年5月26日(2006.5.26)
【手続補正１】
【補正対象書類名】特許請求の範囲
【補正対象項目名】全文
【補正方法】変更
【補正の内容】
【特許請求の範囲】
【請求項１】
温泉サウナ、家庭用又は、ホテル用サウナ等にマイナスイオン生成材鉱石、一例、（トルマリン鉱石・黒曜石・麦飯石・ラジウムその他マイナスイオン生成材等）を多量に腰掛下に敷き入れて、その鉱石に温水を循環ポンプで圧力送水管に送り、送水管を無数の穴を開ける、その穴から温水が噴出しイオン発生生成材鉱石材に衝撃が加わり、マイナスイオン・遠赤外線・電磁波等が発生させる装置である。
【請求項２】
一般的の高温サウナとは違い、低温高湿（４０℃〜５０℃）温熱湯を循環させる事により、請求項１の鉱石から発生する身体に良いイオン等が下半身に伝わり、乂室内に高湿度が充満し呼吸する事により、身体が活性化する装置である。
【請求項３】
狭い室内でも（図１）の用に湯壷を据付、トルマリン鉱石・黒曜石等を多量に敷き入れて循環ポンプ配管穴から温水が圧力で噴出し衝撃により、トルマリン特有のイオンと黒曜石特有のイオンの作用により（図３）腰掛ける装置で岩盤浴効果が発生し、下半身治療ができる。
【請求項４】
腰掛ける装置のところに荻原大が特願２００５−１１９６８４（Ｐｒｏｏｆ）提出日平成１７年４月１８日（図４）を使用する事により（図２）効能効果は素晴らしい体験結果が現れた。又は、石板、木材関係を腰掛けに持ちえても使用が出来る。